(57)【特許請求の範囲】
【請求項１】
画像データ及び表示プログラムを取得する取得部と、
前記取得部で取得した画像データ及び表示プログラムを記憶する記憶部と、
前記画像データに基づく複数の画像を前記表示プログラムに応じて電子ペーパを用いたディスプレイに表示する表示制御部と、
音声案内の音声データに埋め込まれた電子透かし情報を識別する識別部と
を備え、
前記表示制御部は、
前記識別部で識別した電子透かし情報に応じて表示する画像の表示時間を調整する表示装置。
【請求項２】
前記表示制御部は、
複数の異なる言語で表記した画像を繰り返し表示する、
請求項１に記載の表示装置。
【請求項３】
音声案内又は会話の言語を判定する言語判定部を備え、
前記表示制御部は、
前記言語判定部で判定した言語で表記した画像を表示する、
請求項１又は請求項２に記載の表示装置。
【請求項４】
前記表示制御部は、
音声案内又は会話の時間に応じて画像の表示時間を調整する、
請求項３に記載の表示装置。
【請求項５】
前記表示制御部は、
前記識別部で識別した電子透かし情報に応じた画像を表示する、
請求項１から請求項４のいずれか一項に記載の表示装置。
【請求項６】
前記ディスプレイの周辺にいる人の存否を判定する人判定部を備え、
前記表示制御部は、
前記人判定部で人が存在すると判定した場合、前記人が前記ディスプレイの周辺にいる間、前記ディスプレイに表示した画像の表示を継続する、
請求項１から請求項５のいずれか一項に記載の表示装置。
【請求項７】
前記表示制御部は、
前記ディスプレイの第１領域に一の言語で表記した第１画像を表示し、
前記ディスプレイの第２領域に前記一の言語の表記と同じ内容を他の言語で表記した第２画像を表示する、
請求項１から請求項６のいずれか一項に記載の表示装置。
【請求項８】
前記表示制御部は、
複数の異なる他の言語それぞれで表記した第２画像を繰り返し表示する、
請求項７に記載の表示装置。
【請求項９】
前記第２領域は、前記第１領域よりも小さい、
請求項７又は請求項８に記載の表示装置。
【請求項１０】
画像データ及び表示プログラムを取得する取得部と、
前記取得部で取得した画像データ及び表示プログラムを記憶する記憶部と、
前記画像データに基づく複数の画像を前記表示プログラムに応じて電子ペーパを用いたディスプレイに表示する表示制御部と、
音声案内の音声データに埋め込まれた電子透かし情報を識別する識別部と
を備え、
前記表示制御部は、
前記識別部で識別した電子透かし情報に応じて表示する画像の表示時間を調整する表示システム。
【請求項１１】
コンピュータに、
画像データ及び表示プログラムを取得し、
取得した画像データ及び表示プログラムを記憶し、
前記画像データに基づく複数の画像を前記表示プログラムに応じて電子ペーパを用いたディスプレイに表示し、
音声案内の音声データに埋め込まれた電子透かし情報を識別し、
識別した電子透かし情報に応じて表示する画像の表示時間を調整する、
処理を実行させるコンピュータプログラム。
【請求項１２】
画像データ及び表示プログラムを取得部が取得し、
取得した画像データ及び表示プログラムを記憶部に記憶し、
前記画像データに基づく複数の画像を前記表示プログラムに応じて電子ペーパを用いたディスプレイに表示制御部が表示し、
音声案内の音声データに埋め込まれた電子透かし情報を識別し、
識別した電子透かし情報に応じて表示する画像の表示時間を調整する、
表示方法。
【発明の詳細な説明】
【技術分野】
【０００１】
本発明は、表示装置、表示システム、コンピュータプログラム及び表示方法に関する。
【背景技術】
【０００２】
近年、訪日外国人の数は増加傾向にあり、駅構内、イベント会場、観光地、公共施設などにおいて、日本人だけでなく外国人に対する情報提供の必要性が高まっている。特許文献１には、案内板に取り付けられたＲＦＩＤタグにスマートフォンを近づけることにより、ＲＦＩＤに格納したＵＲＬをスマートフォンで読み取り、予め用意された複数の言語から所望の言語を選択すると、選択した言語の案内情報を閲覧することができる案内表示システムが開示されている。
【先行技術文献】
【特許文献】
【０００３】
【特許文献１】特開２０１６−１１５０９０号公報
【発明の概要】
【発明が解決しようとする課題】
【０００４】
しかし、特許文献１のようなシステムでは、ユーザはスマートフォンを取り出して操作をする必要があり煩雑である。また、スマートフォンを携帯していない場合、案内情報を閲覧することができず、利便性に欠ける。
【０００５】
本発明は、斯かる事情に鑑みてなされたものであり、ユーザの利便性を向上させることができる表示装置、表示システム、コンピュータプログラム及び表示方法を提供することを目的とする。
【課題を解決するための手段】
【０００６】
本発明の実施の形態に係る表示装置は、画像データ及び表示プログラムを取得する取得部と、前記取得部で取得した画像データ及び表示プログラムを記憶する記憶部と、前記画像データに基づく複数の画像を前記表示プログラムに応じて電子ペーパを用いたディスプレイに表示する表示制御部とを備える。
【０００７】
本発明の実施の形態に係る表示システムは、画像データ及び表示プログラムを取得する取得部と、前記取得部で取得した画像データ及び表示プログラムを記憶する記憶部と、前記画像データに基づく複数の画像を前記表示プログラムに応じて電子ペーパを用いたディスプレイに表示する表示制御部とを備える。
【０００８】
本発明の実施の形態に係るコンピュータプログラムは、コンピュータに、画像データ及び表示プログラムを取得し、取得した画像データ及び表示プログラムを記憶し、前記画像データに基づく複数の画像を前記表示プログラムに応じて電子ペーパを用いたディスプレイに表示する、処理を実行させる。
【０００９】
本発明の実施の形態に係る表示方法は、画像データ及び表示プログラムを取得部が取得し、取得した画像データ及び表示プログラムを記憶部に記憶し、前記画像データに基づく複数の画像を前記表示プログラムに応じて電子ペーパを用いたディスプレイに表示制御部が表示する。
【発明の効果】
【００１０】
本発明によれば、ユーザの利便性を向上させることができる。
【図面の簡単な説明】
【００１１】
【図１】本実施の形態の表示システムの構成の一例を示す模式図である。
【図２】表示処理装置の構成の一例を示すブロック図である。
【図３】本実施の形態の表示装置による画像表示の第１例を示す模式図である。
【図４】画像の内容の一例を示す模式図である。
【図５】本実施の形態の表示装置による画像表示の第２例を示す模式図である。
【図６】本実施の形態の表示装置による画像表示の第３例を示す模式図である。
【図７】本実施の形態の表示装置による画像表示の第４例を示す模式図である。
【図８】本実施の形態の表示装置による画像表示の第５例を示す模式図である。
【図９】本実施の形態の表示装置による画像表示の第６例を示す模式図である。
【図１０】本実施の形態の表示装置による画像表示の処理手順の一例を示すフローチャートである。
【発明を実施するための形態】
【００１２】
以下、本発明の実施の形態を図面に基づいて説明する。図１は本実施の形態の表示システムの構成の一例を示す模式図である。表示システムは、ロケーションＡ、Ｂ、Ｃそれぞれに設置された表示装置を備える。表示装置は、表示処理装置５０及び電子ペーパディスプレイ３０を備える。なお、図１の例では、表示装置として、表示処理装置５０及び電子ペーパディスプレイ３０を別個の装置としているが、表示処理装置５０及び電子ペーパディスプレイ３０を１つの装置に纏めることもできる。表示処理装置５０と電子ペーパディスプレイ３０とは所定のケーブルで接続されている。ロケーションＡ、Ｂ、Ｃそれぞれの表示処理装置５０は、通信ネットワーク１に接続されている。通信ネットワーク１には、コンテンツ配信サーバ１０が接続されている。コンテンツ配信サーバ１０には、通信ネットワーク２を介して端末装置２０が接続されている。なお、通信ネットワーク２は、通信ネットワーク１と同じネットワークでもよい。また、端末装置２０は、専用の通信線でコンテンツ配信サーバ１０と接続してもよい。ロケーションＡ、Ｂ、Ｃには、例えば、駅構内、イベント会場、観光地、公共施設などの所定の場所が含まれる。なお、図１の例では、ロケーションＡ、Ｂ、Ｃを図示しているが、ロケーションの数は図１の例に限定されない。
【００１３】
端末装置２０は、例えば、パーソナルコンピュータ又はタブレットで構成することができる。管理者は、端末装置２０を用いて、電子ペーパディスプレイ３０に表示させるコンテンツ（画像）の作成、コンテンツ配信サーバ１０へのコンテンツの登録、コンテンツの配信スケージュールの作成・登録、コンテンツの表示プログラムの作成・登録などを行うことができる。
【００１４】
コンテンツ配信サーバ１０は、それぞれのロケーションの表示処理装置５０に対して、画像データ（コンテンツのデータ）及び表示プログラムを配信することができる。
【００１５】
図２は表示処理装置５０の構成の一例を示すブロック図である。表示処理装置５０は、表示制御部５１、通信部５２、記憶部５３、音声入力部５４、人検出部５５、インタフェース部５６、言語判定部５７、及び識別部５８を備える。表示制御部５１は、ＣＰＵ、ＲＯＭ及びＲＡＭ等で構成することができる。
【００１６】
通信部５２は、通信ネットワーク１を介してコンテンツ配信サーバ１０との間で通信を行う機能を有し、所要の情報の送受信を行うことができる。通信部５２は、コンテンツ配信サーバ１０が配信した画像データ及び表示プログラムを取得することができる。表示プログラムは、画像データに基づく画像の表示内容や表示順序、表示タイミングなどを予め
定めたプログラムである。
【００１７】
記憶部５３は、例えば、半導体メモリ等で構成され、通信部５２を介して取得した画像データ及び表示プログラムを記憶することができる。
【００１８】
音声入力部５４は、マイク等で構成することができる。音声入力部５４は、電子ペーパディスプレイ３０に取り付けてもよく、あるいはスピーカ（不図示）から出力される音声案内（アナウンス）の音声を取得できる箇所に設置することができる。
【００１９】
人検出部５５は、人感センサ、赤外線距離センサ、又はカメラ等で構成することができる。人検出部５５は、電子ペーパディスプレイ３０に取り付けることができる。人検出部５５は、人判定部としての機能を有し、電子ペーパディスプレイ３０の周辺にいる人の存否を判定することができる。
【００２０】
インタフェース部５６は、電子ペーパディスプレイ３０との間のインタフェース機能を提供する。
【００２１】
言語判定部５７は、音声入力部５４で取得した音声に基づいて、音声案内又は会話の言語を判定することができる。音声案内は、例えば、電子ペーパディスプレイ３０に表示する画像に含まれる情報を音声で案内するものである。会話は、例えば、電子ペーパディスプレイ３０に表示された画像を見るユーザの音声である。
【００２２】
識別部５８は、音声案内の音声データに埋め込まれた電子透かし情報を識別することができる。電子透かし情報（音声透かし情報）は、人間の耳には聞こえない周波数帯の音を用いて生成された情報である。電子透かし情報には、表示制御部５１に対する指令を含めることができる。
【００２３】
表示制御部５１は、画像データに基づく複数の画像を表示プログラムに応じて電子ペーパディスプレイ３０に表示することができる。電子ペーパを用いることにより、低消費電力という特徴を持つことができ、バッテリ駆動が可能となるので、商用電源設備がない場所でも表示装置を使用することができる。また、紙の「読みやすさ」という特徴を持つので、ユーザは画像を容易に視認することができる。また、ユーザは電子ペーパディスプレイ３０に表示される画像を見ることができるので、情報を表示させるための情報処理装置を携帯する必要がなく、利便性が向上する。
【００２４】
次に、表示処理装置５０による画像の表示例について説明する。
【００２５】
図３は本実施の形態の表示装置による画像表示の第１例を示す模式図である。表示制御部５１は、複数の異なる言語で表記した画像を繰り返し表示することができる。図３に示すように、複数の異なる言語で表記した画像は、例えば、日本語で表記した画像１０１、英語で表記した画像１０２、中国語の簡体字で表記した画像１０３、中国語の繁体字で表記した画像１０４、韓国語で表記した画像１０５とすることができる。画像１０１〜１０５は、言語が異なるだけで、画像の内容（案内１）は同じものとすることができる。図３の例では、画像１０１、１０２、１０３、１０４、１０５の順番で表示され、画像１０５の次は画像１０１に戻って同様に表示される。日本語以外の言語は、例えば、訪日する外国人の数が多い国の言語とすることができる。表示制御部５１は、日本語、英語、中国語（簡体字）、中国語（繁体字）、韓国語の如く順番で同じ内容の画像を繰り返し表示することができる。なお、それぞれの言語で表記した画像の表示時間は、予め表示プログラムで設定しておくことができる。
【００２６】
これにより、駅構内、イベント会場、観光地、公共施設など様々な場所において、案内表示、広告表示、マナー啓蒙表示などの種々の情報を表示する場合に、日本人だけでなく外国人のユーザに対しても、所要の情報を表示することができ、外国人にとっては、容易に理解することができるので、ユーザの利便性を向上させることができる。
【００２７】
図４は画像の内容の一例を示す模式図である。図４は列車の乗り場の案内例であり、番線が１番の乗り場への方向（矢印）が表示され、「列車をご利用のお客様は、この階段を上がった先の１番のりばにお越しください。」との案内文が表示されている。同様に、図４Ｂは、各特急列車の乗り場を案内している。図４Ｃはイベントの開催のお知らせであり、開催日時、開催場所などが表示されている。なお、画像の内容は図４の例に限定されない。
【００２８】
図５は本実施の形態の表示装置による画像表示の第２例を示す模式図である。図３の例では、画像の内容（案内１）が、それぞれの言語で表記された画像を繰り返し表示する構成であったが、画像の内容は１つに限定されない。図５に示すように、表示制御部５１は、第１の画像内容（案内１）を複数の異なる言語で表記した画像を順番に表示し、次に、第１の画像内容と異なる第２の画像内容（案内２）を複数の異なる言語で表記した画像を順番に表示し、再度繰り返して、第１の画像内容（案内１）を複数の異なる言語で表記した画像を順番に表示することができる。図５の例では、画像１０１、１０２、１０３、１０４、１０５の順番で表示され、画像１０５の次は画像１０６、１０７、１０８、１０９、１１０の順番で表示され、画像１１０の次は、画像１０１に戻って同様に表示される。
【００２９】
これにより、複数の言語で表記した、異なる画像の内容（様々な情報）を繰り返し表示することができる。
【００３０】
図６は本実施の形態の表示装置による画像表示の第３例を示す模式図である。表示制御部５１は、言語判定部５７で判定した言語で表記した画像を表示することができる。例えば、図６に示すように、音声案内が日本語である場合、日本語で表記された画像１１１を表示し、音声案内が英語である場合、英語で表記された画像１１２を表示し、音声案内が中国語である場合、中国語で表記された画像１１３を表示し、音声案内が韓国語である場合、韓国語で表記された画像１１４を表示することができる。
【００３１】
これにより、現在流れている音声案内の言語と表示された言語とが一致するので、ユーザは表示内容を容易に認識することができる。
【００３２】
また、言語判定部５７が、電子ペーパディスプレイ３０の前（周囲）での会話が英語であると判定した場合、表示制御部５１は、英語で表記された画像を表示することができる。また、言語判定部５７が、電子ペーパディスプレイ３０の前（周囲）での会話が中国語であると判定した場合、表示制御部５１は、中国語で表記された画像を表示することができる。これにより、表示装置（電子ペーパディスプレイ３０）の周辺で会話する言語と表示された言語とが一致するので、表示装置の周辺で会話するユーザは表示内容を容易に認識することができる。
【００３３】
また、図６に示すように、表示制御部５１は、音声案内の時間に応じて画像の表示時間を調整することができる。例えば、ある言語の音声案内が流れている間、当該言語で表記された画像の表示時間を延長することができる。図６の例では、日本語のアナウンス時間に応じて日本語で表記された画像１１１の表示時間が調整（例えば、延長又は短縮）されている。英語、中国語、韓国語のアナウンス時間についても同様である。これにより、画像の表示時間を調整するために表示プログラムを変更する必要がなく、それぞれの言語で表記された画像の表示時間を調整することができる。
【００３４】
図示していないが、同様に、表示制御部５１は、電子ペーパディスプレイ３０の周辺での会話の時間に応じて画像の表示時間を調整（例えば、延長又は短縮）することができる。これにより、画像の表示時間を調整するために表示プログラムを変更する必要がなく、それぞれの言語で表記された画像の表示時間を調整することができる。
【００３５】
図７は本実施の形態の表示装置による画像表示の第４例を示す模式図である。表示制御部５１は、識別部５８で識別した音声透かし（電子透かし）情報に応じた画像を表示することができる。図７に示すように、所要の言語で表記された案内の画像１１５が、音声案内と同期して表示されているとする。識別部５８が、音声案内に埋め込まれた音声透かしを識別したタイミングで、表示制御部５１は、案内の画像１１５を臨時通知の画像１１６に切り替えて表示することができる。どのような臨時通知の画像１１６を表示するかは、音声透かし情報の中に特定の指令として含めることができる。このように、所定の言語で表記された、それぞれの画像を繰り返し表示する途中で、音声透かし情報が識別された場合、表示中の画像と異なる画像（例えば、臨時通知の画像など）を表示することができる。これにより、表示プログラムを変更することなく、所要の画像を所要のタイミングで表示することができる。
【００３６】
また、図７に示すように、表示制御部５１は、識別部５８で識別した音声透かし情報に応じて表示する画像の表示時間を調整することができる。この場合、表示制御部５１に対する指令として、音声透かしに対応する画像の表示時間も含めることができる。臨時通知の画像１１６が所定時間表示されると、案内の画像１１５の次に表示される案内の画像１１７に切り替えて表示することができる。これにより、表示プログラムを変更することなく、それぞれの言語で表記された画像の表示時間を調整することができる。
【００３７】
図８は本実施の形態の表示装置による画像表示の第５例を示す模式図である。表示制御部５１は、人検出部５５で人が電子ペーパディスプレイ３０の前（周辺）に存在すると判定し、人が電子ペーパディスプレイ３０の前（周辺）にいる間、電子ペーパディスプレイ３０に表示した画像の表示を継続することができる。本明細書では、人が電子ペーパディスプレイ３０の前（周辺）にいることを「立止りあり」と称し、人が電子ペーパディスプレイ３０の前（周辺）にいないことを「立止りなし」と称する。図８の上段は、立止りなしの場合の画像の表示例を示す。時点ｔ１から時点ｔ２までの時間Ｔ１の間は、日本語で表記された画像１２１が表示され、時点ｔ２から時点ｔ３までの時間Ｔ２の間は、英語で表記された画像１２２が表示され、時点ｔ３からは、中国語で表記された画像１２３が表示される様子を示す。
【００３８】
図８の下段のように、時点ｔ２と時点ｔ３との間の時点ｔ２１で立止まりを検出し、時点ｔ２１から時点ｔ２２までの間、立止まりを認識したとする。この場合、英語で表記された画像１２２を立止まって見るユーザが存在しているので、英語で表記された画像１２２を時点ｔ２２まで延長して表示することができる。延長時間は、時点ｔ３から時点ｔ２２までの時間となる。
【００３９】
このように、人が電子ペーパディスプレイ３０の前（周辺）にいるということは、その人が立止まって表示中の画像を確認していると考えられるので画像の表示を継続する。これにより、ユーザが画像（画像１２２）を見ている途中で他の言語の画像（画像１２３）に切り替わることを防止しユーザの利便性を向上させることができる。また、表示プログラムを変更することなく、画像の表示を継続することができる。
【００４０】
図９は本実施の形態の表示装置による画像表示の第６例を示す模式図である。図９に示すように、表示制御部５１は、電子ペーパディスプレイ３０の第１領域３１に一の言語で
表記した第１画像を表示し、電子ペーパディスプレイ３０の第２領域３２に一の言語の表記と同じ内容を他の言語で表記した第２画像を表示することができる。図９に示すように、第１領域３１の一の言語は日本語とし、第２領域３２の他の言語は日本語以外の言語とすることができる。これにより、大多数のユーザのための日本語表示の利便性を損なうことなく、日本語以外の他言語表示も行うことができ、ユーザの利便性を向上させることができる。
【００４１】
また、表示制御部５１は、第２領域３２において、複数の異なる他の言語それぞれで表記した第２画像を繰り返し表示することができる。複数の異なる言語は、例えば、英語、中国語（簡体字、繁体字）、韓国語などのように訪日する外国人の数が多い国の言語とすることができる。表示制御部５１は、第２領域３２において、英語、中国語（簡体字）、中国語（繁体字）、韓国語の如く順番で同じ内容の画像を繰り返し表示することができる。第１領域３１の日本語で表記された画像は、そのまま継続して表示することができる。
【００４２】
これにより、駅構内、イベント会場、観光地、公共施設など様々な場所において、案内表示、広告表示、マナー啓蒙表示などの種々の情報を表示する場合に、日本人だけでなく外国人のユーザに対しても、所要の情報を表示することができ、外国人にとっては、容易に理解することができるので、ユーザの利便性を向上させることができる。
【００４３】
また、第２領域３２は、第１領域３１よりも小さくすることができる。これにより、大多数のユーザのための日本語表示の利便性を損なうことがない。
【００４４】
図１０は本実施の形態の表示装置による画像表示の処理手順の一例を示すフローチャートである。表示制御部５１は、コンテンツ配信サーバ１０から画像データ及び表示プログラムを取得して記憶部５３に記憶する（Ｓ１１）。表示制御部５１は、表示プログラムで定められた表示タイミングであるか否かを判定し（Ｓ１２）、表示タイミングでない場合（Ｓ１２でＮＯ）、ステップＳ１２の処理を続ける。
【００４５】
表示タイミングである場合（Ｓ１２でＹＥＳ）、表示制御部５１は、表示プログラムに従って日本語及び他言語の画像を繰り返し表示する（Ｓ１３）。表示制御部５１は、音声案内の有無を判定し（Ｓ１４）、音声案内がある場合（Ｓ１４でＹＥＳ）、それぞれの言語の音声案内の時間に応じて、対応する言語の画像の表示時間を調整する（Ｓ１５）。
【００４６】
表示制御部５１は、音声透かしの有無を判定し（Ｓ１６）、音声透かしがある場合（Ｓ１６でＹＥＳ）、音声透かしに対応する画像を表示する（Ｓ１７）。この場合、音声透かしに対応して表示する画像の表示時間を調整することもできる。
【００４７】
表示制御部５１は、人の立止りの有無を判定し（Ｓ１８）、立止りがある場合（Ｓ１８でＹＥＳ）、立止りが認識されている間、該当の画像の表示時間を延長し（Ｓ１９）、処理を終了するか否かを判定する（Ｓ２０）。
【００４８】
音声案内がない場合（Ｓ１４でＮＯ）、又は音声透かしがない場合（Ｓ１６でＮＯ）、表示制御部５１は、ステップＳ１８の処理を行う。人の立止りがない場合（Ｓ１８でＮＯ）、表示制御部５１は、ステップＳ２０の処理を行う。処理を終了しない場合（Ｓ２０でＮＯ）、表示制御部５１は、ステップＳ１３以降の処理を続け、処理を終了する場合（Ｓ２０でＹＥＳ）、処理を終了する。
【００４９】
表示処理装置５０は、ＣＰＵ（プロセッサ）、ＲＡＭなどを備えたコンピュータを用いて実現することもできる。図１０に示すような処理の手順を定めたコンピュータプログラム（記録媒体に記録可能）をコンピュータに備えられたＲＡＭにロードし、コンピュータ
プログラムをＣＰＵ（プロセッサ）で実行することにより、コンピュータ上で表示処理装置５０を実現することができる。
【００５０】
上述のように、本実施の形態によれば、単なる情報表示に留まらず、２つ以上の言語表示を行うことができる。そして、日本語表示の内容を損なうことなく、他国語表示の情報を見やすくすることができ、ユーザの利便性を向上させることができる。
【００５１】
また、本実施の形態によれば、アナウンスや会話などの音声をリアルタイムで認識し、言語を判定し、判定した言語と表示する言語とを同期させるので、例えば、現在流れているアナウンス等の音声言語と表示された言語とを一致させることができ、表示内容を容易に認識することが可能となり、ユーザの利便性を向上させることができる。また、人の立止りを検知して表示中の画像の表示時間を調整するので、ユーザが表示内容を読む前に情報が切り替わる等の見逃しを防止し、表示内容の理解度を向上させることができる。また、表示プログラムの更新をすることなく、表示する画像の表示時間や切替等の処理を容易に行うことができる。
【００５２】
本実施の形態の表示装置は、画像データ及び表示プログラムを取得する取得部と、前記取得部で取得した画像データ及び表示プログラムを記憶する記憶部と、前記画像データに基づく複数の画像を前記表示プログラムに応じて電子ペーパを用いたディスプレイに表示する表示制御部とを備える。
【００５３】
本実施の形態の表示システムは、画像データ及び表示プログラムを取得する取得部と、前記取得部で取得した画像データ及び表示プログラムを記憶する記憶部と、前記画像データに基づく複数の画像を前記表示プログラムに応じて電子ペーパを用いたディスプレイに表示する表示制御部とを備える。
【００５４】
本実施の形態のコンピュータプログラムは、コンピュータに、画像データ及び表示プログラムを取得し、取得した画像データ及び表示プログラムを記憶し、前記画像データに基づく複数の画像を前記表示プログラムに応じて電子ペーパを用いたディスプレイに表示する、処理を実行させる。
【００５５】
本実施の形態の表示方法は、画像データ及び表示プログラムを取得部が取得し、取得した画像データ及び表示プログラムを記憶部に記憶し、前記画像データに基づく複数の画像を前記表示プログラムに応じて電子ペーパを用いたディスプレイに表示制御部が表示する。
【００５６】
取得部は、画像データ及び表示プログラムを取得する。画像データ及び表示プログラムは、例えば、コンテンツ配信サーバなどから取得することができる。表示プログラムは、画像データに基づく画像の表示内容や表示順序、表示タイミングなどを予め定めたプログラムである。記憶部は、取得した画像データ及び表示プログラムを記憶する。
【００５７】
表示制御部は、画像データに基づく複数の画像を表示プログラムに応じて電子ペーパを用いたディスプレイに表示する。電子ペーパを用いることにより、低消費電力という特徴を持つことができ、バッテリ駆動が可能となるので、商用電源設備がない場所でも表示装置を使用することができる。また、紙の「読みやすさ」という特徴を持つので、ユーザは画像を容易に視認することができる。また、ユーザは表示装置に表示される画像を見ることができるので、情報を表示させるための情報処理装置を携帯する必要がなく、利便性が向上する。
【００５８】
本実施の形態の表示装置において、前記表示制御部は、複数の異なる言語で表記した画
像を繰り返し表示する。
【００５９】
表示制御部は、複数の異なる言語で表記した画像を繰り返し表示する。複数の異なる言語は、例えば、日本語の他に、英語、中国語（簡体字、繁体字）、韓国語などのように訪日する外国人の数が多い国の言語とすることができる。表示制御部は、日本語、英語、中国語（簡体字）、中国語（繁体字）、韓国語の如く順番で同じ内容の画像を繰り返し表示することができる。
【００６０】
これにより、駅構内、イベント会場、観光地、公共施設など様々な場所において、案内表示、広告表示、マナー啓蒙表示などの種々の情報を表示する場合に、日本人だけでなく外国人のユーザに対しても、所要の情報を表示することができ、外国人にとっては、容易に理解することができるので、ユーザの利便性を向上させることができる。
【００６１】
本実施の形態の表示装置は、音声案内又は会話の言語を判定する言語判定部を備え、前記表示制御部は、前記言語判定部で判定した言語で表記した画像を表示する。
【００６２】
言語判定部は、音声案内又は会話の言語を判定する。音声案内は、例えば、表示装置に表示する画像に含まれる情報を音声で案内するものである。会話は、例えば、表示装置に表示された画像を見るユーザの音声をマイク等で取得することができる。
【００６３】
表示制御部は、言語判定部で判定した言語で表記した画像を表示する。例えば、音声案内又は会話が英語であると判定した場合、英語で表記された画像を表示することができる。また、音声案内又は会話が中国語であると判定した場合、中国語で表記された画像を表示することができる。これにより、現在流れている音声案内の言語と表示された言語とが一致するので、ユーザは表示内容を容易に認識することができる。また、表示装置の周辺で会話する言語と表示された言語とが一致するので、表示装置の周辺で会話するユーザは表示内容を容易に認識することができる。
【００６４】
本実施の形態の表示装置において、前記表示制御部は、音声案内又は会話の時間に応じて画像の表示時間を調整する。
【００６５】
表示制御部は、音声案内又は会話の時間に応じて画像の表示時間を調整する。例えば、ある言語の音声案内が流れている間、当該言語で表記された画像の表示時間を延長することができる。また、表示装置の周辺で、ある言語の会話が行われている間、当該言語で表記された画像の表示時間を延長することができる。これにより、画像の表示時間を調整するために表示プログラムを変更する必要がなく、それぞれの言語で表記された画像の表示時間を調整することができる。
【００６６】
本実施の形態の表示装置は、音声案内の音声データに埋め込まれた電子透かし情報を識別する識別部を備え、前記表示制御部は、前記識別部で識別した電子透かし情報に応じた画像を表示する。
【００６７】
識別部は、音声案内の音声データに埋め込まれた電子透かし情報を識別する。電子透かし情報（音声透かし情報）は、人間の耳には聞こえない周波数帯の音を用いて生成された情報である。電子透かし情報には、表示制御部に対する指令を含めることができる。
【００６８】
表示制御部は、識別部で識別した電子透かし情報に応じた画像を表示する。例えば、他言語で表記された、それぞれの画像を繰り返し表示する途中で、電子透かし情報が識別された場合、表示中の画像と異なる画像（例えば、臨時の画像など）を表示することができる。これにより、表示プログラムを変更することなく、所要の画像を所要のタイミングで
表示することができる。
【００６９】
本実施の形態の表示装置において、前記表示制御部は、前記識別部で識別した電子透かし情報に応じて表示する画像の表示時間を調整する。
【００７０】
表示制御部は、識別部で識別した電子透かし情報に応じて表示する画像の表示時間を調整する。これにより、表示プログラムを変更することなく、それぞれの言語で表記された画像の表示時間を調整することができる。
【００７１】
本実施の形態の表示装置は、前記ディスプレイの周辺にいる人の存否を判定する人判定部を備え、前記表示制御部は、前記人判定部で人が存在すると判定した場合、前記人が前記ディスプレイの周辺にいる間、前記ディスプレイに表示した画像の表示を継続する。
【００７２】
人判定部は、ディスプレイの周辺にいる人の存否を判定する。人判定部は、人感センサ、赤外線距離センサ、又はカメラなどで構成できる。
【００７３】
表示制御部は、人判定部で人が存在すると判定し、人がディスプレイの周辺にいる間、ディスプレイに表示した画像の表示を継続する。人がディスプレイの周辺にいるということは、その人が立止まって表示中の画像を確認していると考えられるので画像の表示を継続する。これにより、ユーザが画像を見ている途中で他の言語の画像に切り替わることを防止しユーザの利便性を向上させることができる。また、表示プログラムを変更することなく、画像の表示を継続することができる。
【００７４】
本実施の形態の表示装置において、前記表示制御部は、前記ディスプレイの第１領域に一の言語で表記した第１画像を表示し、前記ディスプレイの第２領域に前記一の言語の表記と同じ内容を他の言語で表記した第２画像を表示する。
【００７５】
表示制御部は、ディスプレイの第１領域に一の言語で表記した第１画像を表示し、ディスプレイの第２領域に一の言語の表記と同じ内容を他の言語で表記した第２画像を表示する。一の言語は日本語とすることができ、他の言語は日本語以外の言語とすることができる。これにより、大多数のユーザのための日本語表示の利便性を損なうことなく、日本語以外の他言語表示も行うことができ、ユーザの利便性を向上させることができる。
【００７６】
本実施の形態の表示装置において、前記表示制御部は、複数の異なる他の言語それぞれで表記した第２画像を繰り返し表示する。
【００７７】
表示制御部は、複数の異なる他の言語それぞれで表記した第２画像を繰り返し表示する。複数の異なる言語は、例えば、英語、中国語（簡体字、繁体字）、韓国語などのように訪日する外国人の数が多い国の言語とすることができる。表示制御部は、英語、中国語（簡体字）、中国語（繁体字）、韓国語の如く順番で同じ内容の画像を繰り返し表示することができる。
【００７８】
これにより、駅構内、イベント会場、観光地、公共施設など様々な場所において、案内表示、広告表示、マナー啓蒙表示などの種々の情報を表示する場合に、日本人だけでなく外国人のユーザに対しても、所要の情報を表示することができ、外国人にとっては、容易に理解することができるので、ユーザの利便性を向上させることができる。
【００７９】
本実施の形態の表示装置において、前記第２領域は、前記第１領域よりも小さい。
【００８０】
第２領域は、第１領域よりも小さい。これにより、大多数のユーザのための日本語表示
の利便性を損なうことがない。
【符号の説明】
【００８１】
１、２  通信ネットワーク
１０  コンテンツ配信サーバ
２０  端末装置
３０  電子ペーパディスプレイ
３１  第１領域
３２  第２領域
５０  表示処理装置
５１  表示制御部
５２  通信部
５３  記憶部
５４  音声入力部
５５  人検出部
５６  インタフェース部
５７  言語判定部
５８  識別部
【要約】
【課題】ユーザの利便性を向上させることができる表示装置、表示システム、コンピュータプログラム及び表示方法を提供する。
【解決手段】表示装置は、画像データ及び表示プログラムを取得する取得部と、取得部で取得した画像データ及び表示プログラムを記憶する記憶部と、画像データに基づく複数の画像を表示プログラムに応じて電子ペーパを用いたディスプレイに表示する表示制御部とを備える。
【選択図】図２【図１】
0006923029.tif 000002
【図２】
0006923029.tif 000003
【図３】
0006923029.tif 000004
【図４】
0006923029.tif 000005
【図５】
0006923029.tif 000006
【図６】
0006923029.tif 000007
【図７】
0006923029.tif 000008
【図８】
0006923029.tif 000009
【図９】
0006923029.tif 000010
【図１０】
0006923029.tif 000011